(57)【特許請求の範囲】
【請求項１】
伸縮性を有する芯材と、
該芯材の表面に巻回される一次カバーリング材と、
該一次カバーリング材の上に添付される熱溶着糸と、
該熱溶着糸の上に巻回される二次カバーリング材とを有し、
二次カバーリング材の巻回後に、加熱されて上記熱溶着糸が溶融された
伸縮性飾り紐。
【請求項２】
二次カバーリング材が、一次カバーリング材の巻回方向と反対方向に巻回された
請求項１に記載の伸縮性飾り紐。
【請求項３】
前記一次カバーリング材に、紙撚り紐または水引が用いられた
請求項１または請求項２に記載の伸縮性飾り紐。
【請求項４】
前記一次カバーリング材および／または二次カバーリング材が、２本以上のカバーリング材からなる
請求項１から請求項３のうちのいずれか一項に記載の伸縮性飾り紐。
【請求項５】
伸縮性を有する芯材の表面に、一次カバーリング材を巻回する一次巻回工程と、
一次カバーリング材の上に熱溶着糸を添付する熱溶着糸添付工程と、
熱溶着糸の上に二次カバーリング材を巻回する二次巻回工程と、
二次巻回工程後に、熱溶着糸が溶融する温度に加熱する加熱溶融工程とを有する
伸縮性飾り紐の製造方法。
【発明の詳細な説明】
【技術分野】
【０００１】
この発明は、たとえば水引などとして使用できる飾り紐に関し、より詳しくは、伸縮性を有し、着脱が容易でありバンドとしても使用できるような伸縮性飾り紐に関する。
【背景技術】
【０００２】
伸縮性を有する水引として、下記特許文献１に開示されているようなものが提案されていた。  
これは、弾性を有する芯の外周に糸条を巻回してなる紐状物を、複数本並列に引き揃えた伸縮性水引である。芯に対する糸条の巻回は、接着剤を用いて一体化することはせず、単に巻回するだけにして伸縮を可能にしている。
【０００３】
しかし、このような構造の伸縮性水引では、伸縮に伴って芯の横断面積が変化する変形が起るので、糸条がずれたり、もどけたりして、外観を損なうことがある。
【０００４】
また、ネックレスやブレスレッドに使用されるアクセサリーコードとして、下記特許文献２のようなものが開示されている。
【０００５】
このアクセサリーコードは、弾性糸からなる芯糸に、熱可塑性合成繊維からなる鞘糸を巻きつけたもので、熱溶着によりほつれ防止がなされているものである。
【０００６】
このような構成のアクセサリーコードでは、ほつれ防止がなされているため、上述した伸縮性水引の場合のようなずれなどの不都合は回避し得るが、特殊な鞘糸を使用しなければならないので、ビーズなどのような装飾部材（アクセサリー）を通すためのアクセサリーコードにはよいが、水引などとして使用するには装飾性に欠ける。また、特殊な糸を使用するためコストも掛かる。
【０００７】
【特許文献１】実開昭６１−１３３５８７号公報
【特許文献２】特開２００３−７９４１１号公報
【発明の開示】
【発明が解決しようとする課題】
【０００８】
そこで、この発明は、伸縮に伴って外観が損なわれることがなく、装飾効果も高く、様々に使用され得るような伸縮性飾り紐の提供を主たる目的とする。
【課題を解決するための手段】
【０００９】
そのための手段は、伸縮性を有する芯材と、該芯材の表面に巻回される一次カバーリング材と、該一次カバーリング材の上に添付される熱溶着糸と、該熱溶着糸の上に巻回される二次カバーリング材とを有し、二次カバーリング材の巻回後に、加熱されて上記熱溶着糸が溶融された伸縮性飾り紐である。
【００１０】
上記の熱溶着糸は、たとえば芯材の長さ方向に沿って伸びるように沿わして添付する。
【００１１】
熱溶着糸の溶着により、一次カバーリング材と熱溶着糸と二次カバーリング材との交点において、一体化が行われる。
【００１２】
このため、カバーリング材の独立性が高く、芯材が伸縮してもその影響を受けることが少ない。また、芯材の伸縮に伴う変形も可能である。したがって、伸縮性飾り紐が伸縮して、芯材の横断面の面積が変化するような変形が起っても、カバーリング材同士の基本的な位置関係は保持される。
【００１３】
この結果、カバーリング材のずれやもどけは抑制され、外観が維持できる。
【００１４】
別の手段は、伸縮性を有する芯材の表面に、一次カバーリング材を巻回する一次巻回工程と、一次カバーリング材の上に熱溶着糸を添付する熱溶着糸添付工程と、熱溶着糸の上に二次カバーリング材を巻回する二次巻回工程と、二次巻回工程後に、熱溶着糸が溶融する温度に加熱する加熱溶融工程とを有する伸縮性飾り紐の製造方法である。
【発明の効果】
【００１５】
以上のように、この発明によれば、一次カバーリング材の上に二次カバーリング材が巻回され、これらの間が熱溶着糸によって、部分的に結合一体化されているので、芯材が伸縮しても、カバーリング材のずれなどにより外観を損なうことがなく、良好な外観を維持できる。外周側の部分を編んで製造したものに劣らない良好な外観が得られる。
【００１６】
また、カバーリング材には、綿糸、合成繊維、合成樹脂フィルム、紙、水引、組紐など適宜の材料のものを使用できるので、所望の外観を有する装飾性の高いものとすることができる。
【００１７】
さらに、製造に当たって接着剤を不要にすることができるので、製造が容易に行える。しかも、仕上がり状態において接着剤のはみ出しなどもなく、この点からも外観を損なうことを阻止できる。
【発明を実施するための最良の形態】
【００１８】
この発明を実施するための一形態を、以下図面を用いて説明する。  
図１は、伸縮性飾り紐１１（以下、「飾り紐」という。）の一例を示す斜視図であり、この図に示すように、飾り紐１１は長さ方向に伸縮自在である。水引、ゴム紐、ゴムバンド、飾り、アクセサリーを通す紐などとして好適に使用される。
【００１９】
この飾り紐１１は、図２に示したように、伸縮性を有するゴム紐からなる芯材２１と、該芯材２１の表面に巻回される一次カバーリング材３１と、該一次カバーリング材３１の上に添付される熱溶着糸４１と、該熱溶着糸４１の上に巻回される二次カバーリング材５１とを有し、上記の熱溶着糸４１により、一次カバーリング材３１と二次カバーリング材５１とが部分的に一体化した構造である。
【００２０】
芯材２１には、用途に応じて適宜太さのものが使用され、その断面形状は図２に示したように四角形のものであるも、その他の形状、たとえば図３に示したように円形であるもよい。
【００２１】
一次カバーリング材３１と二次カバーリング材５１については、撚糸、無撚糸、紙撚り紐、金属蒸着テープのような光沢や色彩を有する装飾テープ、水引、組紐など、適宜のものを用いることができる。上記の「水引」とは、紙縒りや合成樹脂製などからなる芯を着色したものや、芯に糸やテープなどを巻回した構造のものである。
【００２２】
熱溶着糸４１は、その融点以上に加熱されると溶けて、接触している部分を接着するもので、芯材２１等の太さなどの条件に応じて適宜のものが使用される。
【００２３】
まず、図２、図３に例示した飾り紐１１について説明してから、図４、図５、図６、図７に示した飾り紐１１について説明する。
【００２４】
図２、図３に示した飾り紐１１は、一次カバーリング材３１に、１種類１本の撚糸３２を用い、二次カバーリング材５１として、撚糸５２と、この上から巻回する装飾テープ５３の、２種類２本のカバーリング材を用いた例である。
【００２５】
すなわち、芯材２１の表面に一次カバーリング材３１としての撚糸３２を巻回した（一次巻回工程）後、この上に熱溶着糸４１を添付し（熱溶着糸添付工程）、さらにこの上に、二次カバーリング材５１として、撚糸５２と装飾テープ５３を順に巻回して（二次巻回工程）から、熱溶着糸４１が溶融しカバーリング材等を損傷しない温度（たとえば、１５０度程度）に加熱（加熱溶融工程）して製造される。
【００２６】
上記の熱溶着糸４１は、たとえば粗く巻回するなど適宜の添付の仕方をするとよいが、図示したように、芯材２１の長さ方向に延びるように沿わせるだけで、所望の効果が得られる。沿わせるだけであれば、製造も容易であるのでこの点でも好ましい。
【００２７】
また、二次カバーリング材５１は、一次カバーリング材３１の巻回方向とは逆の方向に巻回する。これによって、捩れのない、真っ直ぐな飾り紐１１が得られる。
【００２８】
つぎに、図４に例示した飾り紐１１について説明する。  
図４に示した飾り紐１１は、一次カバーリング材３１として、２種類２本のカバーリング材を用い、二次カバーリング材５１として、１種類１本のカバーリング材を用いた例である。一次カバーリング材３１には、紙撚り紐３３と無撚糸３４を用い、この順に巻回している。二次カバーリング材５１には、金属蒸着テープなどの装飾テープ５３を用い、隙間を開けて巻回している。
【００２９】
すなわち、芯材２１の表面に一次カバーリング材３１としての紙撚り紐３３を巻回してから無撚糸３４を巻回する（一次巻回工程）。この後、一次カバーリング材３１の上に熱溶着糸４１を添付し（熱溶着糸添付工程）、さらにこの上に、二次カバーリング材５１としての装飾テープ５３を巻回する（二次巻回工程）。続いて、熱溶着糸４１が溶融する温度に加熱（加熱溶融工程）して製造する。
【００３０】
この場合も、上記の熱溶着糸４１は、適宜の添付の仕方をするとよいが、図示したように、芯材２１の長さ方向に延びるように沿わせるのが好ましい。
【００３１】
また、二次カバーリング材５１は、一次カバーリング材３１の巻回方向とは逆の方向に巻回する。
【００３２】
続いて、図５に例示した飾り紐１１について説明する。  
図５に示した飾り紐１１は、一次カバーリング材３１として、２種類２本のカバーリング材を用い、二次カバーリング材５１として、２種類２本のカバーリング材を用いた例である。一次カバーリング材３１には、紙撚り紐３３と撚糸３２を用い、この順に巻回している。二次カバーリング材５１には、無撚糸５４と金属蒸着テープなどの装飾テープ５３を用いて、この順に巻回している。
【００３３】
すなわち、芯材２１の表面に一次カバーリング材３１としての紙撚り紐３３を巻回してから撚糸３２を巻回する（一次巻回工程）。この後、一次カバーリング材３１の上に熱溶着糸４１を添付し（熱溶着糸添付工程）、さらにこの上に、二次カバーリング材５１としての無撚糸５４と装飾テープ５３を、この順で巻回する（二次巻回工程）。続いて、熱溶着糸４１が溶融する温度に加熱（加熱溶融工程）して製造する。
【００３４】
この場合も、上記の熱溶着糸４１は、適宜の添付の仕方をするとよいが、図示したように、芯材２１の長さ方向に延びるように沿わせるのが好ましい。
【００３５】
また、二次カバーリング材５１は、一次カバーリング材３１の巻回方向とは逆の方向に巻回する。
【００３６】
この場合も、上記の熱溶着糸４１は、適宜の添付の仕方をするとよいが、図示したように、芯材２１の長さ方向に延びるように沿わせるのが好ましい。
【００３７】
また、二次カバーリング材５１は、一次カバーリング材３１の巻回方向とは逆の方向に巻回する。
【００３８】
図６に例示した飾り紐１１は、一次カバーリング材３１として、１種類１本のカバーリング材を用い、二次カバーリング材５１として、１種類１本のカバーリング材を用いたものである。一次カバーリング材３１には無撚糸３４を用いる。二次カバーリング材５１には水引５５を用いている。水引５５には、既存のものが使用でき、たとえば紙縒り等に着色を施したもの、テープ等を巻回したものであるとよい。テープを巻回したものである場合には、図６（ａ）のように一色のテープを巻回したものであるもよいが、図６（ｂ）のように光沢を有する色のテープ５５ａがあらわれるように巻回したものであると、美麗な外観を得られるのでよい。
【００３９】
すなわち、まず、芯材２１の表面に一次カバーリング材３１としての無撚糸３４を密に巻回する（一次巻回工程）。この後、一次カバーリング材３１の上に熱溶着糸４１を添付し（熱溶着糸添付工程）、さらにこの上に、二次カバーリング材５１としての水引５５を、粗く巻回する（二次巻回工程）。密に巻回するもよい。続いて、熱溶着糸４１が溶融する温度に加熱（加熱溶融工程）して製造する。
【００４０】
この場合も、上記の熱溶着糸４１は、適宜の添付の仕方をするとよいが、図示したように、芯材２１の長さ方向に延びるように沿わせるのが好ましい。
【００４１】
また、二次カバーリング材５１は、一次カバーリング材３１の巻回方向とは逆の方向に巻回する。
【００４２】
この場合も、上記の熱溶着糸４１は、適宜の添付の仕方をするとよいが、図示したように、芯材２１の長さ方向に延びるように沿わせるのが好ましい。
【００４３】
また、二次カバーリング材５１は、一次カバーリング材３１の巻回方向とは逆の方向に巻回する。
【００４４】
図７に例示した飾り紐１１は、一次カバーリング材３１として、２種類２本のカバーリング材を用い、二次カバーリング材５１として、２種類２本のカバーリング材を用いた例である。一次カバーリング材３１には、水引３５と無撚糸３４を用い、この順に巻回している。二次カバーリング材５１には、無撚糸５４と金属蒸着テープなどの装飾テープ５３を用いて、この順に巻回している。
【００４５】
すなわち、芯材２１の表面に一次カバーリング材３１としての水引３５を密に巻回してから無撚糸３４を巻回する（一次巻回工程）。この後、一次カバーリング材３１の上に熱溶着糸４１を添付し（熱溶着糸添付工程）、さらにこの上に、二次カバーリング材５１としての無撚糸５４を粗く巻回してから、この無撚糸５４の幅方向の中間位置に乗せるように装飾テープ５３を巻回する（二次巻回工程）。続いて、熱溶着糸４１が溶融する温度に加熱（加熱溶融工程）して製造する。二次カバーリング材５１の無撚糸５４は粗く巻回し、その上に装飾テープ５３が乗るようにしているので、一次カバーリング材３１の表面は無撚糸５４の間から視認でき、水引３５等の外観によっては、伸縮性と相俟って斬新な意匠感を得られる。
【００４６】
この場合も、上記の熱溶着糸４１は、適宜の添付の仕方をするとよいが、図示したように、芯材２１の長さ方向に延びるように沿わせるのが好ましい。
【００４７】
また、二次カバーリング材５１は、一次カバーリング材３１の巻回方向とは逆の方向に巻回する。
【００４８】
この場合も、上記の熱溶着糸４１は、適宜の添付の仕方をするとよいが、図示したように、芯材２１の長さ方向に延びるように沿わせるのが好ましい。
【００４９】
また、二次カバーリング材５１は、一次カバーリング材３１の巻回方向とは逆の方向に巻回する。
【００５０】
上記のような工程を有する飾り紐は、適宜の装置を用いて製造される。
【００５１】
このようにして構成された飾り紐１１では、図８に模式的に示したように、一次カバーリング材３１と二次カバーリング材５１との間に、芯材２１の長さ方向に延びるように介装された熱溶着糸４１が溶融し接着を行うので、これら三者が重合する部分で、部分的な接着が行われる。図中、４２が接着部分である。
【００５２】
全体が接着されているわけではないので、芯材２１の伸縮に伴って一次カバーリング材３１と二次カバーリング材５１が適宜変形するため、伸縮に支障はない。このため、自由な伸縮が可能である。しかも、一度伸長した後に縮まった場合でも、カバーリング材同士が部分的に接着されており、カバーリング材相互間の適度な一体性、芯材２１からの独立性などにより、カバーリング材の位置ずれは起りにくく、もどけもない。この結果、外観を損なうことがなく、所望の装飾性を維持できる。
【００５３】
また、製造において接着剤を使用しないので、適宜の装置によって製造が容易に行える。しかも、仕上がり状態において接着剤のはみ出しなどもなく、この点からも外観を損なうことを阻止できる。
【００５４】
さらに、カバーリング材には、綿糸、合成繊維、合成樹脂フィルム、紙、水引、組紐など適宜の材料のものを使用できるので、所望の外観を有する装飾性の高いものとすることができる。また、一次カバーリング材３１、二次カバーリング材５１の本数や種類も自由に設定できるので、外周側を編んで製造したものに比して、バラエティーに富んだ様々な飾り紐を得ることができる。上側に位置するカバーリング材の巻回を粗く行って、下側のカバーリング材を露出させたり透けさせたりすることによっても、上記の効果が高まる。
【００５５】
また、一次カバーリング材３１に、紙撚り紐３３や水引３５を用いると、図９に模式的に示したように、芯材を硬くすることができるためか、また、適度な摩擦抵抗となるためか、より一層もどけにくい飾り紐１１を得ることができる。さらに、紙撚り紐３３の存在により、芯材２１を隠蔽することができる効果も有する。
【００５６】
上記の構成はこの発明を実施するための一形態であって、その他の構成を採用することもできる。  
【図面の簡単な説明】
【００５７】
【図１】伸縮性飾り紐の斜視図。
【図２】伸縮性飾り紐の構造を示す斜視図。
【図３】伸縮性飾り紐の構造を示す斜視図。
【図４】伸縮性飾り紐の構造を示す斜視図。
【図５】伸縮性飾り紐の構造を示す斜視図。
【図６】伸縮性飾り紐の構造を示す斜視図。
【図７】伸縮性飾り紐の構造を示す斜視図。
【図８】溶着部分を示す模式図。
【図９】紙撚り紐部分を示す模式図。
【符号の説明】
【００５８】
１１…伸縮性飾り紐
２１…芯材
３１…一次カバーリング材
３２…撚糸
３３…紙撚り紐
３４…無撚糸
３５…水引
４１…熱溶着糸
５１…二次カバーリング材
５２…撚糸
５３…装飾テープ
５４…無撚糸
５５…水引
【図１】
0004943260.tif 000002
【図２】
0004943260.tif 000003
【図３】
0004943260.tif 000004
【図４】
0004943260.tif 000005
【図５】
0004943260.tif 000006
【図６】
0004943260.tif 000007
【図７】
0004943260.tif 000008
【図８】
0004943260.tif 000009
【図９】
0004943260.tif 000010